(57)【要約】【課題】撮影装置の操作のために様々な種類のスイッチを使用可能にし、かつ簡素な構造を有するカメラ用リモコン装置を提供する。【解決手段】リモコン装置１０には、デジタルカメラ４０が所定の位置に取り付けられる。リモコン装置１０の内部に設けられた発信機が、デジタルカメラ４０の動作を指示する光信号を発信する。光信号は、導光部材１６を介して導光され、すり加工が施されている出射面１６Ｄにて乱反射される。この結果、デジタルカメラ４０の前面４０Ｆに設けられた受信センサ４２により、光信号が受信され、デジタルカメラ４０において指示された動作が実行される。【選択図】図２
2008176003.tif 000002
【特許請求の範囲】
【請求項１】
光信号を受信する受信部が設けられたカメラに前記光信号を送るリモコン装置であって、
筐体と、
前記筐体の内部で前記光信号を発信する発信部材と、
前記カメラを受信位置で固定するための固定手段と、
前記受信位置にある前記カメラの前記受信部に前記光信号を導光するための導光部材とを備えることを特徴とするリモコン装置。
【請求項２】
前記導光部材が柱状であることを特徴とする請求項１に記載のリモコン装置。
【請求項３】
前記導光部材が、前記筐体に対して着脱自在であることを特徴とする請求項１に記載のリモコン装置。
【請求項４】
前記導光部材が、前記光信号を乱反射させるためのすり面を有することを特徴とする請求項１に記載のリモコン装置。
【請求項５】
前記導光部材が、前記光信号を前記受信部に向けて反射させるための鏡面を有することを特徴とする請求項１に記載のリモコン装置。
【請求項６】
前記導光部材に凹部が設けられており、前記凹部によって前記光信号を前記受信部に向けて反射させる反射領域が形成されることを特徴とする請求項１に記載のリモコン装置。
【請求項７】
前記凹部が、前記導光部材において、前記受信位置にある前記カメラの前記受信部の反対側に設けられていることを特徴とする請求項６に記載のリモコン装置。
【請求項８】
前記光信号を前記発信部材から前記導光部材に導光するための補助導光部材が設けられていることを特徴とする請求項１に記載のリモコン装置。
【請求項９】
前記発信部材が、前記光信号を出射する第１の光源を有し、前記第１の光源が、前記導光部材の近傍に配置されていることを特徴とする請求項１に記載のリモコン装置。
【請求項１０】
前記光信号を前記発信部材に発信させるためのスイッチを前記発信部材に接続するためのコネクタをさらに有することを特徴とする請求項１に記載のリモコン装置。
【請求項１１】
前記カメラが前記光信号により所定の動作をしたことを知らせるための光を発光する第２の光源をさらに有し、前記導光部材が、前記第２の光源により発光された光を導光可能であることを特徴とする請求項１に記載のリモコン装置。
【請求項１２】
前記導光部材が、前記筐体の内部に設けられていることを特徴とする請求項１に記載のリモコン装置。
【請求項１３】
前記導光部材の出射面が、前記受信位置にある前記カメラの前記受信部を向いていることを特徴とする請求項１２に記載のリモコン装置。
【請求項１４】
前記出射面がすり面であることを特徴とする請求項１３に記載のリモコン装置。
【請求項１５】
前記光信号を拡散するための拡散部材もしくは前記光信号の拡散作用をもたらす部材を有することを特徴とする請求項１２に記載のリモコン装置。
【発明の詳細な説明】
【技術分野】
【０００１】
本発明はリモコン装置に関し、特に、カメラに対する撮影指示等のために用いられるリモコン装置に関する。
【背景技術】
【０００２】
リモコン操作により、被写体の撮影等が可能なカメラが知られている。このようなリモコンは、主にユーザが自分自身の姿を撮影する場合に用いられるため、ユーザが持つリモコン送信機から送信される赤外光等を受光するための受光部は、撮影光学系が設けられているカメラの前面側（撮影レンズ側）に設けられている（例えば特許文献１）。
【０００３】
また、手などに障害を有する身体障害者等であって、手動操作ができず、汎用的なスイッチを操作するために必要な力を加えることが困難なユーザ等のために、わずかな力により、もしくはほとんど力を加えることなしに作動するスイッチ装置、または、細かい操作をすることが困難な使用者のために操作部分を大きくしたスイッチ装置（以下、このようなスイッチ装置を福祉用スイッチという）が知られている（例えば特許文献２）。福祉用スイッチとして、例えば、押下する領域が広く、なおかつ非常に弱い力で作動するもの、あるいは呼気により作動するもの等が用いられている。
【特許文献１】特開平９−６１９３２号公報
【特許文献２】特開平６−１７５２２０号公報
【発明の開示】
【発明が解決しようとする課題】
【０００４】
リモコンを用いて撮影する場合、受光部がカメラの前面側に設けられているため、ユーザは、カメラの背面側に設けられているモニタ上に表示される被写体像を確認することができない。従って、リモコンによりカメラの遠隔操作は可能であるものの、撮影動作等における操作性は必ずしも良好ではない。特に、汎用的なスイッチを操作することが困難であり、福祉用スイッチ等を常用しているユーザにとっては、被写体の撮影等のためのリモコン操作が困難となってしまう。
【０００５】
そこで、受光部が前面側に、モニタが背面側に設けられている通常のカメラを、被写体像を確認しながら容易に遠隔操作するために、カメラに対して移動可能に取り付けられ、かつ福祉用スイッチ等が使用可能であるリモコン装置を用いることが考えられる。しかしながら、このようなリモコン装置は、カメラに取り付ける部材等により構造が複雑となってしまう。このため、却ってカメラの操作が困難となるおそれがあり、特に、福祉用スイッチ等を常用しているユーザにとってはその可能性が高い。
【０００６】
そこで本発明は、撮影装置の操作のために様々な種類のスイッチを使用可能にし、かつ簡素な構造を有するカメラ用リモコン装置を提供することを目的とする。
【課題を解決するための手段】
【０００７】
本発明のリモコン装置は、光信号を受信する受信部が設けられたカメラに光信号を送るリモコン装置であって、筐体と、筐体の内部で光信号を発信する発信部材と、カメラを固定するための固定手段と、受信位置にあるカメラの受信部に光信号を導光するための導光部材とを備えることを特徴とする。
【０００８】
導光部材は、例えば柱状である。導光部材は、筐体に対して固定されても良く、また、着脱自在であっても良い。導光部材は、光信号を乱反射させるためのすり面を有することが好ましい。導光部材は、光信号を受信部に向けて反射させるための鏡面を有することが好ましい。また、導光部材に凹部が設けられており、凹部によって光信号を受信部に向けて反射させる反射領域が形成されることが好ましい。この場合、凹部は、導光部材において、受信位置にあるカメラの受信部の反対側に設けられていることがより好ましい。
【０００９】
リモコン装置においては、光信号を発信部材から導光部材に導光するための補助導光部材が設けられていることが望ましい。
【００１０】
例えば、発信部材は、光信号を出射する第１の光源を有し、第１の光源が、導光部材の近傍に配置されている。
【００１１】
リモコン装置は、光信号を発信部材に発信させるためのスイッチを発信部材に接続するためのコネクタをさらに有することが望ましい。
【００１２】
また、リモコン装置は、カメラが光信号により所定の動作をしたことを知らせるための光を発光する第２の光源をさらに有し、導光部材が、第２の光源により発光された光を導光可能であることが好ましい。導光部材は、例えば筐体の内部に設けられている。そしてこの場合、導光部材の出射面が、受信位置にあるカメラの受信部を向いていることが好ましい。この出射面は、例えばすり面である。リモコン装置は、例えば、光信号を拡散するための拡散部材もしくは光信号の拡散作用をもたらす部材を有する。
【発明の効果】
【００１３】
本発明によれば、撮影装置の操作のために様々な種類のスイッチを使用可能にし、かつ簡素な構造を有するカメラ用リモコン装置を実現できる。
【発明を実施するための最良の形態】
【００１４】
以下、本発明の実施形態を、図面を参照して説明する。図１は、第１の実施形態におけるリモコン装置が使用されている状態を概略的に示す図である。図２は、本実施形態におけるリモコン装置とリモコン装置に固定された状態のデジタルカメラを示す斜視図である。図３は、図２の状態のリモコン装置とデジタルカメラを示す平面図である。
【００１５】
リモコン装置１０は、デジタルカメラ４０（カメラ）に対して、例えば、被写体撮影、ズーム調整等を指示するために用いられる。デジタルカメラ４０は、リモコン装置１０の筐体１２の上面１２Ｕに設けられた固定ネジ２７（固定手段）によって固定される。筐体１２の内部には、赤外線を光信号として発信する発信機１８（発信部材）が設けられている。
【００１６】
筐体１２の背面１２Ｒ側には、光信号を発信機１８に出射させるためのスイッチを、発信機１８に接続するための第１および第２コネクタ２１、２２が設けられている。このようなスイッチとしては、例えば、福祉用スイッチ３０（スイッチ）が用いられる。福祉用スイッチ３０は、主としてスイッチ操作が困難なユーザ等のためのものであり、押下する領域が広く弱い力で作動するスイッチ、呼気により、もしくはモータにより作動するスイッチ等を含む。なお福祉用スイッチ３０は、ケーブル３５を介して第１および第２コネクタ２１、２２に取り付けられる。
【００１７】
デジタルカメラ４０の前面４０Ｆには、リモコン装置１０から送られる光信号を受信するための受信センサ４２（受信部）が設けられている。また、デジタルカメラ４０の背面４０Ｒ（図３参照）には、モニタ（図示せず）が設けられている。デジタルカメラ４０は、固定ネジ２７（図１参照）をデジタルカメラ４０の底面にある三脚ネジ穴に螺合させることにより、受信センサ４２が光信号を容易に受信できる所定の位置（以下、受信位置という）で固定される。
【００１８】
リモコン装置１０には、発信機１８からの光信号を受信センサ４２に導くための柱状の導光部材１６が設けられている。導光部材１６は、筐体１２の上面１２Ｕの端部付近に着脱自在に取り付けられる。導光部材１６の端部には、光信号を出射する出射面１６Ｄが設けられている。筐体１２に取り付けられた導光部材１６は、受信位置に固定されたデジタルカメラ４０の受信センサ４２の近傍に出射面１６Ｄが配置されるように、筐体上面１２Ｕに垂直な方向に伸びている。
【００１９】
導光部材１６の出射面１６Ｄには、すり加工（表面に細かな凹凸が形成されており、不定方向に光を拡散させる加工）が施されている。これは、出射面１６Ｄがフラット面であっても、光信号が多少は拡散されて受信センサ４２に到達するものの、より確実に光信号を受信センサ４２に受信させるためである。このため、光信号は、出射面１６Ｄ（すり面）において乱反射され、受信センサ４２によって確実に受信される。なお、導光部材１６は、例えばアクリル樹脂等によって形成される。
【００２０】
導光部材１６が筐体１２に対して着脱自在であるため、リモコン装置１０を、受信センサ４２とは異なる受信センサを有するデジタルカメラ（いずれも図示せず）にも使用することができる。この場合、使用されるデジタルカメラの受信センサの近傍に出射面が位置するように、導光部材１６とは異なる形状を有し、そのデジタルカメラに適した導光部材が筐体１２に取り付けられ、使用される。
【００２１】
すなわち、使用する導光部材をデジタルカメラの形状に合わせて選択することができる。さらに、着脱自在な導光部材１６には、後述する凹部を設けるといった作業が容易であり、また、共に使用されるカメラの機種名、所有者名等を導光部材１６に容易に書き込むこともできる。
【００２２】
デジタルカメラ４０には、ストロボ発光窓４４、撮影光学系４６が設けられている（図２参照）。そして導光部材１６は、デジタルカメラ４０が受信位置に取り付けられた状態で、ストロボ発光窓４４から出射されるストロボ光を遮らず、撮影光学系４６の撮影範囲からも外れるように、ストロボ発光窓４４および撮影光学系４６から十分に離れた位置に設けられている。このため、ストロボ発光窓４４から発せられる強い光が受信センサ４２に入射することによる悪影響、例えば、デジタルカメラ４０に設けられた赤外光の検出回路（図示せず）等に対する悪影響が防止される。
【００２３】
デジタルカメラ４０は、筐体１２の第１側面１２Ｓ1（図２参照）寄りに取り付けられる。すなわち筐体１２の形状、固定ネジ２７（図１参照）の位置は、受信位置のデジタルカメラ４０が第２側面１２Ｓ2よりも第１側面１２Ｓ1に近い位置にあるように、調整されている（図２参照）。このため、リモコン装置１０は、後述するように三脚等によっても所定の位置に固定可能であるものの、受信位置にあるデジタルカメラ４０と第２側面１２Ｓ2との間の領域をクリップ等で挟持するといった簡便な操作によっても、固定することができる。
【００２４】
このように、クリップ等によりリモコン装置１０を容易にかつ確実に固定するために、筐体１２の上面１２Ｕにおいては、固定されたデジタルカメラ４０と、導光部材１６近傍の第１側面１２Ｓ1とは反対側の第２側面１２Ｓ2との間の領域が広くなるようにスペースが設けられている。そしてこのスペースを覆うように、第２側面１２Ｓ2と、筐体１２の上面１２Ｕおよび底面１２Ｂにおける第２側面１２Ｓ2近傍には、滑り止めテープ１５が貼付されている。なお、滑り止めテープ１５の代わりに、滑り止め効果を目的とした凸凹面を筐体１２の表面に設けても良い。
【００２５】
図４は、本実施形態におけるリモコン装置１０の内部を示す斜視図である。図５は、第１側面１２Ｓ1側から見た本実施形態のリモコン装置１０の内部を示す側面図である。図６は、本実施形態のリモコン装置１０の内部を示す背面図であり、図７は、本実施形態における、筐体１２の上面１２Ｕを開いた状態のリモコン装置１０の内部を示す底面図である。なお、図４以下の図面では、滑り止めテープ１５は省略されており、また、図６以下の図面では、各部材の位置関係を分かりやすく示すため、リード線２５等が省略されている。
【００２６】
発信機１８の内部には、光信号としての赤外線を出射する光源（図示せず）が設けられている。光源から出射された光信号は、プリズムである補助導光部材２０を介して導光部材１６に送信される。すなわち、光信号は、補助導光部材２０の反射面２０Ｓで反射され、導光部材１６の下端に設けられた反射面１６Ｓでさらに反射され、出射面１６Ｄに向かって進む。そして光信号は、すり面である出射面１６Ｄにて乱反射され、受信センサ４２（図１〜３参照）に入射する。
【００２７】
なお、図４においては、これらの反射面１６Ｓ、２０Ｓは斜線で示されており、図５及び図６においては、補助導光部材２０は省略されている。また、これらの図４〜７においては、円柱形の導光部材が使用されていた図１〜３とは異なり、四角柱の導光部材１６が取り付けられた状態のリモコン装置１０を示している。
【００２８】
第１コネクタ２１には、例えばズーム調整のため、第２コネクタ２２には、例えば撮影動作のため、それぞれ福祉用スイッチ３０（図１参照）等が接続される。第１、第２コネクタ２１、２２は、リード線２５を介して発信機１８に接続されている。そして、ユーザによる福祉用スイッチ３０等の操作に応じた指示信号が、第１、第２コネクタ２１、２２を介して発信機１８に送信されると、発信機１８は、赤外線、すなわち受信した指示信号に基づく光信号を発信する。
【００２９】
筐体１２の底面１２Ｂには、リモコン装置１０を三脚等に固定するためのネジ穴２４が設けられている（図５および７参照）。ネジ穴２４は、デジタルカメラ４０を始めとする一般的なカメラに設けられている三脚ネジ穴（図示せず）と同じ形状を有するため、一般的なカメラの三脚等が、そのままリモコン装置１０に使用できる。また、上述のように、固定ネジ２７がカメラ側の三脚ネジ穴（図示せず）に螺合されることから明らかであるように、ネジ穴２４の形状と固定ネジ２７の形状とは互いに対応している（図５参照）。なお、説明の便宜上、図４においてはネジ穴２４、固定ネジ２７が、図６においてはネジ穴２４がそれぞれ省略されている。
【００３０】
図８は、本実施形態における導光部材１６の第１の変形例を概略的に示す図である。図９は、本実施形態における導光部材１６の第２の変形例を概略的に示す図である。
【００３１】
導光部材１６の第１の変形例においては、これまでの図面で示された出射面１６Ｄの代わりに、鏡面１６Ｍが設けられている。そして、導光部材１６の伸びる方向に対してほぼ垂直な出射面１６Ｄとは異なり、鏡面１６Ｍは、導光部材１６の伸びる方向に対して４５°ほど傾いている。矢印が示すように、導光部材１６にて導光された光信号は、鏡面１６Ｍで反射され、受信センサ４２に入射する。なお、鏡面１６Ｍにおいては、光信号は反射されるのみならず、多少の乱反射も生じる。このため、鏡面１６Ｍの位置は、図８で示された位置から上下にずれていても問題は生じず、導光部材１６の上端は必ずしも受信センサ４２の近傍になくても良い。
【００３２】
このように、光信号を受信センサ４２に向けて全反射させるための鏡面１６Ｍを設けることにより、乱反射させる場合に比べて光信号の届く範囲は狭くなるものの、光信号を受信センサ４２に向けて選択的に進めることが可能であり、光信号をより効率的に用いることができる。
【００３３】
一方、導光部材１６の第２の変形例（図９参照）においては、出射面１６Ｄ、鏡面１６Ｍの代わりに、複数の凹部１６Ｈが設けられている。この凹部１６Ｈにより、光信号を受信部に向けて反射させるための反射領域１６Ｒが形成されている。凹部１６Ｈは、導光部材１６において、受信位置にあるデジタルカメラ４０の受信センサ４２とは反対側に設けられている。この凹部１６Ｈにより、導光部材１６は、光信号を反射させる。
【００３４】
また、凹部１６Ｈにより複数の反射領域１６Ｒが形成されているため、光信号は、矢印が示すように広範な方向に進み、第１の変形例ほど効率的には受信されないものの、受信センサ４２の位置が異なるデジタルカメラ４０以外のデジタルカメラに対しても、導光部材１６の交換なしに使用可能である。
【００３５】
以上のように本実施形態によれば、リモコン装置１０は、デジタルカメラ背面４０Ｒのモニタを見ながら操作することができ、なおかつ福祉用スイッチ３０等の様々なスイッチが使用可能であるため操作性に優れている。
【００３６】
さらに、リモコン装置１０を、受信センサ４２の設けられたデジタルカメラ４０の前面４０Ｆ側に対向する位置まで移動させるための部材が不要であるため、リモコン装置１０とデジタルカメラ４０を含む撮影器具の構造が簡素化される。また、既に市販されている発信機１８等の部材をほぼそのまま活用することも可能であり、リモコン装置１０は容易に製造できる。
【００３７】
補助導光部材２０を設けずに、赤外線を出射する光源を導光部材１６の反射面１６Ｓ（図４参照）の近傍に配置しても良い。この場合、例えば発信機１８の先端部を導光部材１６に向けて突出させ、その先端部に光源を設けても良い。
【００３８】
次に、第２の実施形態につき、第１の実施形態との相違点を中心に説明する。図１０は、第２の実施形態における導光部材１６を概略的に示す図である。図１１は、本実施形態における導光部材１６の変形例を概略的に示す図である。
【００３９】
本実施形態では、導光部材１６が、第１および第２の導光部材１６Ａ、１６Ｂを有する点が、第１の実施形態と異なる。第１の導光部材１６Ａは、第１の実施形態における導光部材１６と同様に機能するのに対し、第２の導光部材１６Ｂは、デジタルカメラ４０が、受信した光信号に対応する所定の動作をしたことをユーザに知らせるために設けられている。
【００４０】
このように、デジタルカメラ４０の動作をユーザに報知するため、本実施形態の発信機１８（図４〜７参照）においては、光信号としての赤外線を出射する第１ＬＥＤ３１（第１の光源）とともに、可視光を出射する第２ＬＥＤ３２（第２の光源）が設けられている。
【００４１】
そして、福祉用スイッチ３０等の操作に応じた指示信号が発信機１８によって受信されると、第１ＬＥＤ３１が、指示信号に対応した光信号を第１の導光部材１６Ａに出射するとともに、第２ＬＥＤ３２が、可視光線を第２の導光部材１６Ｂに対して出射する。このように、福祉用スイッチ３０等に設けられた操作スイッチが操作されたことを検出した発信機１８のＣＰＵ（図示せず）が、操作スイッチの操作に応じ、第１もしくは第２ＬＥＤ３１、３２に、光信号を発信させる。
【００４２】
この結果、第１の反射面１６Ｓ1にて反射された光信号が、第１の導光部材１６Ａの出射面１６Ｄ1にて乱反射されて受信センサ４２に入射するとともに、光信号の受信によりデジタルカメラ４０がズーム調整、被写体の撮影等の所定の動作を実行することを示す可視光線が、第２の反射面１６Ｓ2にて反射され、さらに第２の導光部材１６Ｂの出射面１６Ｄ2にて乱反射され、ユーザによって視認される。
【００４３】
なお、本実施形態においても、出射面１６Ｄ1、１６Ｄ2の代わりに、光信号および可視光線をそれぞれ全反射する第１および第２の鏡面１６Ｍ1、１６Ｍ2を設けても良い（図１１参照）。この場合、通常、デジタルカメラ４０の背面４０Ｒ（図３参照）側にいることの多いユーザが、可視光線を視認し易いように、第２の鏡面１６Ｍ2の傾きは、例えば図１１の紙面上方、もしくは下方寄りにデジタルカメラ４０を避けて可視光線が進むように、適宜調整される。あるいは、可視光線の視認性を考慮して、全反射のための第１の鏡面１６Ｍ1と、乱反射のための出射面１６Ｄ2（図１０参照）とを組み合わせても良い。
【００４４】
以上のように、本実施形態のリモコン装置１０は、操作性に優れ、簡素な構造を有するとともに、デジタルカメラ４０の動作をユーザに報知させることが可能である。さらに、第１および第２の実施形態においては、デジタルカメラ４０の近傍にある導光部材１６をデジタルカメラ４０ごと保持することが出来るため、福祉スイッチ等の使用を要し、カメラの操作が困難なユーザにとっても、撮影動作等が容易になる。この場合、導光部材１６における出射面１６Ｄ、鏡面１６Ｍ等以外の領域をユーザが保持することにより、光信号の伝達に問題は生じず、また、柱状の導光部材１６を太くすることにより、上述の効果を大きくすることができる。
【００４５】
また、上述のように、互いに連結された円柱状の第１および第２の導光部材１６Ａ、１６Ｂを２本用いることにより、導光部材１６の回転が防止され、導光部材１６を安定した状態で固定できる。すなわち、円柱２本を固定した構成により、1本の円柱を用いる場合に比べて、導光部材１６の回転などの不具合が生じず、プリズム効果面である鏡面１６Ｍ、反射面１６Ｓを介して進む光信号の方向が安定する。
【００４６】
次に、第３の実施形態につき、これまでの実施形態との相違点を中心に説明する。図１２は、第３の実施形態におけるリモコン装置１０とリモコン装置１０に固定された状態のデジタルカメラ４０を示す側面図である。図１３は、本実施形態における導光部材１６等の変形例を概略的に示す図である。
【００４７】
本実施形態では、導光部材１６が、筐体１２内部に設けられている点が、これまでの実施形態と異なる。導光部材１６は、筐体上面１２Ｕに設けられた凹部１２Ｈの下方にあり、導光部材１６の出射面１６Ｄは、受信位置にあるデジタルカメラ４０の受信センサ４２に向かうように、筐体上面１２Ｕに対して傾いている。そして出射面１６Ｄは、これまでの実施形態より拡散効果の大きい面としてある。
【００４８】
このため、発信機１８から出射された光信号は、導光部材１６の反射面１６Ｓにて反射され、さらにすり面である出射面１６Ｄにて乱反射された後に、効率的に受信センサ４２によって受信される。
【００４９】
一方、本実施形態の変形例（図１３参照）においては、筐体上面１２Ｕは平らであり、導光部材１６の出射面１６Ｄが拡散部材３６によって覆われている。そして拡散部材３６の形状は、光信号が主として受信センサ４２に向かって進むように、予め調整されている。
【００５０】
以上のように本実施形態によれば、導光部材１６を筐体１２の内部に設けることにより、これまでの実施形態以上に撮影器具の構造を簡素化することができる。そして導光部材１６が、デジタルカメラ４０、もしくは福祉用スイッチ３０等を操作中のユーザの手などに誤って接触することによるリモコン装置１０の破損、故障等は確実に防止される。
【００５１】
また、いずれの実施形態においても、リモコン装置１０の端部周辺、例えば、滑り止めテープ１５が貼付されている第２側面１２Ｓ2近傍（図２、３参照）を、リモコン装置１０を保持するための保持領域として利用でき、カメラをより安定な状態で保持、撮影することが可能である。
【００５２】
いずれの実施形態においても、福祉用スイッチ３０等を介したリモコン装置１０によるデジタルカメラ４０への指示の対象は、被写体撮影、ズーム調整には限定されない。例えば、ストロボ発光窓４４からのストロボ発光、電源のオン・オフ状態の切換等が、リモコン装置１０により指示されても良い。また、リモコン装置１０の使用対象についても、リモコン操作のための光信号を受信可能である限り、デジタルカメラには限定されない。
【００５３】
導光部材１６は、光信号の拡散作用をもたらす部材である限り、本実施形態におけるアクリル樹脂等以外で形成されても良い。また、可撓性のある部材で形成されても良い。この場合、光信号を受信センサ４２に効率的に受信させるように、導光部材１６の形状、位置を容易に調整することが可能となる。
【００５４】
ズーム調整の指示は、例えば、いくつかの予め設定された焦点距離の中から、指示スイッチの操作回数に応じて所望のものを選択可能にすることにより行われる。
【図面の簡単な説明】
【００５５】
【図１】第１の実施形態におけるリモコン装置が使用されている状態を概略的に示す図である。
【図２】本実施形態におけるリモコン装置とリモコン装置に固定された状態のデジタルカメラを示す斜視図である。
【図３】図２の状態のリモコン装置とデジタルカメラを示す平面図である。
【図４】本実施形態におけるリモコン装置の内部を示す斜視図である。
【図５】第１側面側から見た本実施形態のリモコン装置の内部を示す側面図である。
【図６】本実施形態のリモコン装置の内部を示す背面図である。
【図７】本実施形態における、筐体の上面を開いた状態のリモコン装置の内部を示す底面図である。
【図８】本実施形態における導光部材の第１の変形例を概略的に示す図である。
【図９】本実施形態における導光部材の第２の変形例を概略的に示す図である。
【図１０】第２の実施形態における導光部材を概略的に示す図である。
【図１１】第２の実施形態における導光部材の変形例を概略的に示す図である。
【図１２】第３の実施形態におけるリモコン装置とリモコン装置に固定された状態のデジタルカメラを示す側面図である。
【図１３】第３の実施形態における導光部材等の変形例を概略的に示す図である。
【符号の説明】
【００５６】
１０  リモコン装置
１２  筐体
１６  導光部材
１６Ｄ  出射面（すり面）
１６Ｈ  凹部
１６Ｍ  鏡面
１８  発信機（発信部材）
２０  補助導光部材
２１  第１コネクタ
２２  第２コネクタ
２７  固定ネジ（固定手段）
３０  福祉用スイッチ
３１  第１ＬＥＤ（第１の光源）
３２  第２ＬＥＤ（第２の光源）
３６  拡散部材
４０  デジタルカメラ（カメラ）
【図１】
2008176003.tif 000003
【図２】
2008176003.tif 000004
【図３】
2008176003.tif 000005
【図４】
2008176003.tif 000006
【図５】
2008176003.tif 000007
【図６】
2008176003.tif 000008
【図７】
2008176003.tif 000009
【図８】
2008176003.tif 000010
【図９】
2008176003.tif 000011
【図１０】
2008176003.tif 000012
【図１１】
2008176003.tif 000013
【図１２】
2008176003.tif 000014
【図１３】
2008176003.tif 000015